(57)【要約】【課題】揺動中心がノッチに対しずれた場合でも、リード部分を保持、保護することなく、リードに屈曲が生じず、また電子部品のリード付け根部品の破損が生じないようにする。【解決手段】キャリア530の厚さ寸法より広めの隙間にキャリア530を挿入するキャリア挿入用隙間111を含み、ノッチ520を揺動中心として揺動する用具本体110を備える。マグネット121を含み、リード510から切り離されてキャリア挿入用隙間111にあるキャリア530を保持する切離キャリア保持部120を備える。切離キャリア押出し具131及び排出用アクチュエータ132を含み、キャリア挿入用隙間111内にあるキャリア530を用具本体110から排出する方向に移動させる切離キャリア排出部130を備える。【選択図】        図１
2005039133.tif 000002
【特許請求の範囲】
【請求項１】
キャリア付きの状態で形成されて電子部品に組み込まれたリードから前記キャリアを、このキャリアと前記リードとの間に刻み込まれたノッチ部分を中心に揺動させてこのノッチ部分で切り離す電子部品キャリア揺動切除用具であって、前記キャリアの厚さ寸法より広めに形成された隙間に、前記キャリアを挿入してこのキャリアを前記ノッチ部分を中心に揺動させる用具本体と、揺動により前記ノッチ部分で前記リードから切り離されたキャリアを前記用具本体内に引き留める切離キャリア保持手段と、
を有することを特徴とする電子部品キャリア揺動切除用具。
【請求項２】
前記キャリアが磁性体で形成されており、前記切離キャリア保持手段が、磁石を備えて構成されてこの磁石に、リードから切り離された前記キャリアを引き付けて保持する構造である、請求項１記載の電子部品キャリア揺動切除用具。
【請求項３】
前記切離キャリア保持手段が、前記用具本体に形成された隙間から空気を吸引して、この隙間に挿入されたキャリアの側面を前記隙間の側壁面に吸着させる構造である、請求項１記載の電子部品キャリア揺動切除用具。
【請求項４】
前記切離キャリア保持手段が、前記用具本体に形成された隙間に挿入されたキャリアの一方の側面に空気を吹き付けて、このキャリアの他方の側面を前記隙間の側壁面に押し付ける構造である、請求項１記載の電子部品キャリア揺動切除用具。
【請求項５】
請求項１乃至請求項４のいずれか１項に記載の電子部品キャリア揺動切除用具に加えて、
用具本体の隙間に保持されているキャリアを前記隙間から押し出すように移動させる切離キャリア排出手段を設けた電子部品キャリア揺動切除用具。
【発明の詳細な説明】
【技術分野】
【０００１】
本発明は、キャリア付きの状態で形成されて電子部品に組み込まれたリードからキャリアを、このキャリアとリードとの間に刻み込まれたノッチ部分を中心に揺動させてこのノッチ部分で切り離す電子部品キャリア揺動切除用具に関する。
【背景技術】
【０００２】
リードが表面から突出するように形成された電子部品は、そのリードがキャリア付きで形成され、このリードがキャリア付きのまま電子部品に組み込まれて、最終的にキャリアがリードから切り離されることが多い。このリードとキャリアとの間にはノッチが刻み込まれていて、このノッチを中心にキャリアを揺動させると、この揺動によりノッチ部分に亀裂が入り、リード・キャリア間が切り離されることになる。
このような、キャリアの揺動、切除に用いられる電子部品キャリア揺動切除用具の一例及びそのキャリア揺動、切除動作について図３（ａ）,（ｂ）を参照しながら説明する。
【０００３】
この電子部品キャリア揺動切除用具１００ｘは、載置固定部材６００上に固定された電子部品（キャリア付き）５００ｃのキャリア５３０をその上下両面から挟み付けて固定、保持するキャリア挟持部１５０を備えており、このキャリア挟持部１５０で挟持したキャリア５３０を、ノッチ５２０の部分を中心にして揺動させる（図３（ａ）参照）。
この揺動動作をくり返し行っているうちに、ノッチ５２０部分に亀裂が生じて、最終的にこの亀裂によってリード５１０とキャリア５３０とは切り離される（図３（ｂ）参照）。
【０００４】
この電子部品キャリア揺動切除用具１００ｘの揺動には、通常、これを保持するツールクランパと、このツールクランパをノッチ５３０のまわりに揺動させる揺動動力機構と、を含む揺動装置が用いられるが、キャリア切除対象の部品数が少ない場合には手動で行なわれることも多い。
【０００５】
この電子部品キャリア揺動切除用具１００ｘでは、キャリア挟持部１５０にキャリア５３０を動かないように固定、保持しており、揺動装置等によりこの電子部品キャリア揺動切除用具１００ｘを揺動させる場合に、電子部品５００ｃの出来上り寸法や、ノッチ５２０の位置、その切込み形状等に多少の変動があり、また、電子部品５００ｃと揺動装置との間の相対的な位置にずれを生ずることもあり、ノッチ５２０に対する電子部品キャリア揺動切除用具１００ｘの揺動中心がずれることによって、図４に示すように、リード５１０に矢印方向の負荷がかかり、リード５１０が屈曲したり、最悪、電子部品５００ｃのリード５１０付け根部品が破損したりすることもある。
【０００６】
このリード５１０の屈曲や、電子部品５００ｃのリード５１０付け根部分の破損を防ぐ方法の１つとして、リード５１０部分にガイドを配置してこのガイドにより、リード５１０を支持し、保護する方法もある（例えば、特許文献１参照）。
【特許文献１】特開平７−９４２５４号公報（図１４）
【発明の開示】
【発明が解決しようとする課題】
【０００７】
前述した電子部品キャリア揺動切除用具１００ｘでは、そのキャリア挟持部１５０に、固定状態にある電子部品５００ｃのキャリア５３０を挟持して動かないように固定、保持し、この電子部品キャリア揺動切除用具１００ｘを、電子部品５００のリード５１０・キャリア５３０間のノッチ５２０を揺動中心にして揺動させて、このノッチ５２０部分に亀裂を発生させてこの部分でキャリア５３０をリード５１０から切除する構成、構造となっているので、電子部品５００ｃの出来上り寸法や、ノッチ５２０の位置、その切込み形状等に多少の変動が生じたり、電子部品５００ｃと揺動装置との間の相対的な位置のずれが生じて、ノッチ５２０に対する電子部品キャリア揺動切除用具１００ｘの揺動中心がずれると、リード５１０が屈曲したり、電子部品５００ｃのリード５１０付け根部分が破損したりする、という問題点がある。
【０００８】
また、リード５１０の屈曲や、電子部品５００ｃのリード５１０付け根部分の破損を防ぐために、リード５１０部分にガイドを配置してこのリード５１０、及び電子部品５００ｃのリード５１０付け根部分を保持、保護する方法もあるが、リード５１０の屈曲等を確実に防止することができる、とは言い切れず、また、電子部品５００ｃの載置、固定状態によっては、リード５１０部分にガイドを配置することができないこともある。
【０００９】
本発明は、このような背景技術の問題点に鑑みて、揺動中心に多少のずれがあっても、またリード部分を保持しなくても、電子部品のリードに屈曲が生じたり電子部品のリード付け根部分に破損が生じたりすることのない電子部品キャリア揺動切除用具を提供することにある。
【課題を解決するための手段】
【００１０】
本発明の電子部品キャリア揺動切除用具は、
キャリア付きの状態で形成されて電子部品に組み込まれたリードから前記キャリアを、このキャリアと前記リードとの間に刻み込まれたノッチ部分を中心に揺動させてこのノッチ部分で切り離す電子部品キャリア揺動切除用具であって、前記キャリアの厚さ寸法より広めに形成された隙間に、前記キャリアを挿入してこのキャリアを前記ノッチ部分を中心に揺動させる用具本体と、揺動により前記ノッチ部分で前記リードから切り離されたキャリアを前記用具本体内に引き留める切離キャリア保持手段と、を有することを特徴とする。
【００１１】
また、前記キャリアが磁性体で形成されており、前記切離キャリア保持手段が、磁石を備えて構成されてこの磁石に、リードから切り離された前記キャリアを引き付けて保持する構造である、請求項１記載の電子部品キャリア揺動切除用具である。
【００１２】
前記用具本体に形成された隙間から空気を吸引して、この隙間に挿入されたキャリアの側面を前記隙間の側壁面に吸着させる構造であるか、
前記用具本体に形成された隙間に挿入されたキャリアの一方の側面に空気を吹き付けて、このキャリアの他方の側面を前記隙間の側壁面に押し付ける構造である、構成を有している。
【００１３】
また、前記電子部品キャリア揺動切除用具に加えて、
用具本体の隙間に保持されているキャリアを前記隙間から押し出すように移動させる切離キャリア排出手段を設けた、
構成を有している。
【発明の効果】
【００１４】
本発明の電子部品キャリア揺動切除用具は、その用具本体が、キャリアの厚さ寸法より広めに形成された隙間にこのキャリアを挿入して、このキャリアを、リード・キャリア間のノッチ部分を中心に揺動させる構成、構造となっていて、用具本体の隙間に挿入されたキャリアは、その側面と用具本体の隙間の側壁面との間に若干のスペースがあって用具本体に固定されず、その隙間内で移動可能であるので、揺動中心がノッチ部分からずれたとしても、このずれが用具本体に対するキャリアの移動によって吸収され、用具本体からキャリアに伝達される力はキャリアの厚さ方向の力のみとなり、この厚さ方向の力によって厚さの最も薄いノッチ部分が屈曲してこの部分に亀裂が入ることになり、この結果、及びキャリアの用具本体に対する移動によって、リード及び電子部品のリード付け根部分に加わる力が軽減されて、リード部分をガイドで保持しなくても、リードの屈曲や電子部品のリード付け根部分の破損を防ぐことができる。
【００１５】
なお、リードから切り離されたキャリアは、用具本体の隙間内で移動して用具本体から落下、飛散し、他の部分に損傷を与える危険性があるので、切り離されたキャリアを用具本体内に留めるように、用具本体には切離キャリア保持手段が設けられていて、その危険性を無くすようにしている。
【００１６】
また、切り離されたキャリアが用具本体の隙間内に入り込んで指先でつまみ出すことが出来なくなる可能性もなるので、切離キャリア排出手段を設けて、切り離されたキャリアが用具本体から容易に排出できるようにしている。
【発明を実施するための最良の形態】
【００１７】
本発明を実施するための最良の形態は、
キャリア付きの状態で形成されて電子部品に組み込まれたリードから上記キャリアを、このキャリアと上記リードとの間に刻み込まれたノッチ部分を中心に揺動させてこのノッチ部分で切り離す電子部品キャリア揺動切除用具であって、上記キャリアの厚さ寸法より広めに形成された隙間に、上記キャリアを挿入してこのキャリアを上記ノッチ部分を中心に揺動させる用具本体と、揺動により上記ノッチ部分で上記リードから切り離されたキャリアを上記用具本体内に引き留める切離キャリア保持手段と、
上記用具本体の隙間に保持されているキャリアをこの隙間から押し出すように移動させる切離キャリア排出手段と、を有する構成、構造となっている。
このような構成、構造とすることにより、前述した発明の効果が得られる。
【実施例１】
【００１８】
次に、本発明の実施例１について図面を参照して説明する。
図１（ａ）〜（ｃ）は実施例１の電子部品キャリア揺動切除用具を説明するためのキャリア切離前後、及び切離キャリア排出動作を示す断面側面図である。
この実施例１は、キャリア５３０付きの状態で形成されて電子部品５００ｃに組み込まれたリード５１０からキャリア５３０を、このキャリア５３０とリード５１０との間に刻み込まれたノッチ５２０の部分を中心に揺動させてこのノッチ５２０の部分で切り離すための電子部品キャリア揺動切除用具１００であって、その主構成は用具本体１１０、切離キャリア保持部１２０、及び切離キャリア排出部１３０を有して成り、これら各部の詳細は次のとおりである。なお、この実施例１は、キャリア５３０が磁性体で形成されている場合を想定して構成されている。
【００１９】
まず、用具本体１１０は、キャリア５３０の厚さ寸法より広めに形成された隙間に、このキャリア５３０を挿入するキャリア挿入用隙間１１１を含み、例えば揺動装置に保持されて、ノッチ５２０を揺動中心にして揺動される（図１（ａ）参照）。
【００２０】
切離キャリア保持部１２０は、用具本体１１０のキャリア挿入隙間１１１の両壁面それぞれに吸着面を露出させた２つのマグネット１２１を備えて成り、用具本体１１０の揺動によりノッチ５２０の部分に亀裂が生じてこのノッチ５２０部分で切り離されたキャリア５３０を、その一方に引き付けて保持し、切り離されたキャリア５３０が用具本体１１０が脱落しないようにする（図１（ｂ）参照）。
【００２１】
切離キャリア排出部１３０は、用具本体１１０のキャリア挿入用隙間１１１内に配置された切離キャリア押出し具１３１と、この切離キャリア押出し具１３１を、キャリア挿入用隙間１１１内のキャリア５３０が用具本体１１０から排出される方向に移動させる排出用アクチュエータ１３２と、を備えて成り、キャリア挿入用隙間に留まっているキャリア５３０を用具本体１１０から指先等で容易に取り出せるようにする（図１（ｃ）参照）。或いは又、キャリア５３０を用具本体１１０の外部まで排出する。
【００２２】
この実施例１では、キャリア挿入用隙間１１１がキャリア５３０の厚さ寸法より広めに形成されているので、キャリア挿入用隙間１１１の両壁面とキャリア５３０の側面との間に若干のスペースがあって、キャリア５３０は用具本体１１０に固定されず、そのキャリア挿入用隙間１１１内で移動できるようになっている。従って、用具本体１１０の揺動中心、従ってキャリア５３０の揺動中心がノッチ５２０の部分からずれたとしても、このずれは用具本体１１０に対するキャリア５３０の移動によって吸収され、用具本体１１０からキャリア５３０に伝達される力はキャリア５３０の厚さ方向の力のみとなって、この力により、厚さの最も薄いノッチ５２０部分が屈曲してこの部分に亀裂が入り、この部分で切断される。
【００２３】
すなわち、用具本体１１０に対するキャリア５３０の移動と、ノッチ５２０部分の屈曲、亀裂、切断によって、電子部品５００ｃのリード５１０及びリード５１０付け根部分に加わる力が軽減されて、リード５１０の屈曲や電子部品５００のリード５１０付け根部分が破損するのを防止することができる。
【実施例２】
【００２４】
図２（ａ），（ｂ）は本発明の実施例２の電子部品キャリア揺動切除用具を説明するための断面側面図である。
この実施例２は、キャリア５３０が磁性体以外の部材で形成されている場合であっても有効な実施例を示すものであって、実施例１と相違する点は、切離キャリア保持部にある。
図２（ａ）に示されている実施例では、切離キャリア保持部１２０ａが、用具本体１１０ａのキャリア挿入用隙間１１１ａの両側壁に形成された吸着用空洞１２２と、この吸着用空洞１２２の空気を用具本体１１０ａ外部へと排出する排気孔１２３と、を含んで構成され、吸着用空洞１２２内の空気を排出することによって切り離されたキャリア５３０をキャリア挿入用隙間１１１ａの壁面に吸着させる構造となっている。
【００２５】
また図２（ｂ）に示されている実施例では、切離キャリア保持部１２０ｂが、用具本体１１０ｂのキャリア挿入用隙間１１１ｂの一方の側壁面からこのキャリア挿入用隙間１１１ｂ内に空気を吹き込むエアー吹付け孔１２４を含んで構成され、このエアー吹付け孔１２４からキャリア５３０の一方の側面に空気を吹き付けてこのキャリア５３０をキャリア挿入用隙間１１１ｂの他方の側壁面に押し付けて保持する構造となっている。
その他の部分は実施例１と同様であり、またその作用効果も実施例１と同様である。
【００２６】
なお、これら実施例においては、切離キャリア保持部１２０ａ，１２０ｂによるキャリア引留め動作を停止させて、用具本体１００ａ，１００ｂを、そのキャリア排出方向が下方に向くようにすれば、キャリア５３０は自由落下するので、切離キャリア排出部１３０が無い構成、構造とすることもできる。
【図面の簡単な説明】
【００２７】
【図１】本発明の実施例１を説明するためのキャリア切離前後及び切離キャリア排出動作を示す断面側面図である。
【図２】本発明の実施例２を説明するための断面側面図である。
【図３】従来の電子部品キャリア揺動切除用具の一例を示すキャリア切離前後の側面図である。
【図４】図３に示され電子部品キャリア揺動切除用具の課題を説明するための拡大側面図である。
【符号の説明】
【００２８】
１００，１００ａ，１００ｂ，１００ｘ  電子部品キャリア揺動切除用具
１１０，１１０ａ，１１０ｂ  用具本体
１１１，１１１ａ，１１１ｂ  キャリア挿入用隙間
１２０，１２０ａ，１２０ｂ  切離キャリア保持部
１２１  マグネット
１２２  吸着用空洞
１２３  排気孔
１２４  エアー吹付け孔
１３０  切離キャリア排出部
１３１  切離キャリア押出し具
１３２  排出用アクチュエータ
１５０  キャリア挟持部
５００，５００ｃ  電子部品
５１０  リード
５２０  ノッチ
５３０  キャリア
６００  載置固定部材
【図１】
2005039133.tif 000003
【図２】
2005039133.tif 000004
【図３】
2005039133.tif 000005
【図４】
2005039133.tif 000006